(57)【要約】【課題】大きな取付け許容誤差を可能にし、閉鎖装置が強化されることを可能にする、開けることができる閉鎖装置のためのセフティロック装置を提供する。【解決手段】セフティロック装置は、移動可能に案内されるアクチュエータ４を備えた作動装置１と、旋錠装置２とを有している。閉鎖装置が閉じているときに、アクチュエータ４が旋錠装置２内に押し込み可能であると共に、アクチュエータ４が電磁的に作動可能で旋回可能なキャッチ１６を介して相互係合する係合表面によって旋錠装置２に旋錠可能である。アクチュエータ４はトリガ素子３１を有し、旋錠装置２は応答素子３２を有する。キャッチ１６は、アクチュエータ４の移動方向に平行に延在する軸の回りに旋回可能であると共に、キャッチ１６とアクチュエータ４との係合表面が前記移動方向と直角をなして延びる。【選択図】図１
2004245039.tif 000002
【特許請求の範囲】
【請求項１】
開けることができる閉鎖装置のためのセフティロック装置であって、移動可能に案内されるアクチュエータ（４）を備えた作動装置（１）と、旋錠装置（２）とを有し、前記閉鎖装置が閉じているときに、前記アクチュエータ（４）が前記旋錠装置（２）内に押し込み可能であると共に、前記アクチュエータ（４）が電磁的に作動可能で旋回可能なキャッチ（１６）を介して相互係合する係合表面によって前記旋錠装置（２）に旋錠可能であり、前記アクチュエータ（４）がトリガ素子（３１）を有し、前記旋錠装置（２）が応答素子（３２）を有し、該応答素子（３２）は、前記アクチュエータ（４）が押し込まれたときに、旋錠動作を始動する電気信号を発信することによって前記トリガ素子（３１）に反応するセフティロック装置において、
前記キャッチ（１６）が、前記アクチュエータ（４）の移動方向に平行に延在する軸の回りに旋回可能であると共に、前記キャッチ（１６）と前記アクチュエータ（４）との前記係合表面が前記移動方向と直角をなして延びることを特徴とするセフティロック装置。
【請求項２】
前記アクチュエータ（４）が、ラッチ装置（２９、３０）によって前記施錠装置（２）における所定の位置にラッチ可能であることを特徴とする請求項１に記載のセフティロック装置。
【請求項３】
前記キャッチ（１６）の位置を検知するためのセンサ装置（３３）が備えられていることを特徴とする請求項１又は２に記載のセフティロック装置。
【請求項４】
前記センサ装置（３３）が少なくとも１つのフォーク形式の光バリア（３４）を備えていることを特徴とする請求項３に記載のセフティロック装置。
【請求項５】
前記キャッチ（１６）と前記アクチュエータ（４）との前記係合表面が相補的な溝とリブとを備えていることを特徴とする請求項１乃至４のうちいずれか一項に記載のセフティロック装置。
【請求項６】
前記キャッチ（１６）の係合表面構成が前記アクチュエータ（４）の移動方向に直角の方向に鏡面対称であることを特徴とする請求項１乃至５のうちいずれか一項に記載のセフティロック装置。
【請求項７】
前記施錠装置（２）がハウジング（８）を有し、該ハウジング（８）は前記ハウジング（８）の縦方向中心面の中央でねじを締め付けるための収容開口部（９）を有することを特徴とする請求項１乃至６のうちいずれか一項に記載のセフティロック装置。
【請求項８】
前記収容開口部（９）が前記アクチュエータ（４）の移動方向にスロットとして設計されていることを特徴とする請求項７に記載のセフティロック装置。
【請求項９】
前記作動装置（１）がハウジング（３）を有し、該ハウジング（３）は、このハウジング（３）が前記施錠装置（２）に対して位置調節できるように適合することができることを特徴とする請求項１乃至８のうちいずれか一項に記載のセフティロック装置。
【請求項１０】
前記ハウジング（３）が滑りブロック（４５）を収容するスロット（４４）を有し、この結果として前記ハウジング（３）が前記滑りブロック（４５）に対して移動可能であることを特徴とする請求項９に記載のセフティロック装置。
【請求項１１】
前記施錠装置（２）がハウジング（８）を有し、該ハウジング（８）は少なくとも１つの側にスロット（１１）を有し、該スロット（１１）は前記アクチュエータ（４）の導入を目的とするのものであると共に、前記スロット（１１）の高さは前記アクチュエータ（４）の高さよりも著しく大きいことを特徴とする請求項１乃至１０のうちいずれか一項に記載のセフティロック装置。
【請求項１２】
前記施錠装置（２）が鏡面対称に備えられ、さらにスロット（１１）を有するハウジング（８）を備え、該スロット（１１）は対向する側に位置して、前記アクチュエータ（４）の導入を目的とすることを特徴とする請求項１１に記載のセフティロック装置。
【請求項１３】
前記施錠装置（２）がインサート（１９）を有し、該インサート（１９）はそのハウジング（８）の中に挿入され、該ハウジング（８）の中にはキャッチ（１６）が旋回可能な方式で取り付けられ、前記ハウジング（８）は前記アクチュエータ（４）用のチャネルを形成することを特徴とする請求項１乃至１２のうちいずれか一項に記載のセフティロック装置。
【請求項１４】
前記アクチュエータ（４）を収容するハウジング（３）がトリガ素子を有し、前記施錠装置（２）はそのハウジング（８）の中に付属の応答素子（３６）を有することを特徴とする請求項１乃至１３のうちいずれか一項に記載のセフティロック装置。
【発明の詳細な説明】
【技術分野】
【０００１】
本発明は、セフティロック装置に関する。
【背景技術】
【０００２】
ドア、フラップ、またはシャッタなどの形を呈する閉鎖装置のためのこのようなセフティロック装置は、特許文献１によって知られている。このセフティロック装置は、その縦方向に移動可能であると共にトリガ素子及びノーズを有するアクチュエータを備えている。施錠装置のハウジングの中には、アクチュエータの移動方向を横断する軸の周りを旋回することができるキャッチと、アクチュエータのトリガ素子に応答する応答素子とが設けられている。キャッチは、アクチュエータが押し込まれると、ノーズの背後に落下する。電磁石を介して、キャッチを、レバーリンケージによって電磁石の電機子ロッドのばね偏向に反して開錠することができる。この設計では、比較的高い経費を伴い、アクチュエータの取付けと施錠装置のハウジングとの間の僅かな許容誤差のみが可能となる。
【０００３】
特許文献２は、アクチュエータを横断する方向に移動することができる電磁的に作動可能なキャッチによって、アクチュエータを施錠することができる、セフティロック装置を開示している。
特許文献３は、ラックアンドピニオン駆動を介してアクチュエータを移動させることができ、アクチュエータは凹部を有し、この凹部の中に、電磁的に作動可能でアクチュエータを横断する方向に移動することができるキャッチが中に落下することができる、セフティロック装置を開示している。
【０００４】
キャビネット壁などの、複数の調度品のために、軸の周りに旋回することができてリンケージを介して中央から作動させることができるスイベルキャッチを各キャビネット部分に備えた、中央施錠機構を提供することは、特許文献４によって知られている。
【特許文献１】独国特許出願公開第１９９３４３７０号明細書（DE19934370A1）
【特許文献２】独国実用新案第２０１０２８１９号明細書（DE20102819U1）
【特許文献３】米国特許第６２８３５１４号明細書（US6283514B1）
【特許文献４】独国特許出願公開第４０３４０２３号明細書（DE4034023A1）
【発明の開示】
【発明が解決しようとする課題】
【０００５】
本発明の目的は、大きな取付け許容誤差を可能にし、閉鎖装置が強化されることを可能にする、請求項１のプリアンブルに記載のセフティロック装置を提供することである。
【課題を解決するための手段】
【０００６】
上記目的を達成するため、本発明のうち請求項１に係るセフティロック装置は、開けることができる閉鎖装置のためのセフティロック装置であって、移動可能に案内されるアクチュエータ（４）を備えた作動装置（１）と、旋錠装置（２）とを有し、前記閉鎖装置が閉じているときに、前記アクチュエータ（４）が前記旋錠装置（２）内に押し込み可能であると共に、前記アクチュエータ（４）が電磁的に作動可能で旋回可能なキャッチ（１６）を介して相互係合する係合表面によって前記旋錠装置（２）に旋錠可能であり、前記アクチュエータ（４）がトリガ素子（３１）を有し、前記旋錠装置（２）が応答素子（３２）を有し、該応答素子（３２）は、前記アクチュエータ（４）が押し込まれたときに、旋錠動作を始動する電気信号を発信することによって前記トリガ素子（３１）に反応するセフティロック装置において、前記キャッチ（１６）が、前記アクチュエータ（４）の移動方向に平行に延在する軸の回りに旋回可能であると共に、前記キャッチ（１６）と前記アクチュエータ（４）との前記係合表面が前記移動方向と直角をなして延びることを特徴としている。
【０００７】
また、本発明のうち請求項２に係るセフティロック装置は、請求項１記載の発明において、前記アクチュエータ（４）が、ラッチ装置（２９、３０）によって前記施錠装置（２）における所定の位置にラッチ可能であることを特徴としている。
本発明のうち請求項３に係るセフティロック装置は、請求項１又は２記載の発明において、前記キャッチ（１６）の位置を検知するためのセンサ装置（３３）が備えられていることを特徴としている。
【０００８】
本発明のうち請求項４に係るセフティロック装置は、請求項３記載の発明において、前記センサ装置（３３）が少なくとも１つのフォーク形式の光バリア（３４）を備えていることを特徴としている。
本発明のうち請求項５に係るセフティロック装置は、請求項１乃至４のうちいずれか一項に記載の発明において、前記キャッチ（１６）と前記アクチュエータ（４）との前記係合表面が相補的な溝とリブとを備えていることを特徴としている。
【０００９】
本発明のうち請求項６に係るセフティロック装置は、請求項１乃至５のうちいずれか一項に記載の発明において、前記キャッチ（１６）の係合表面構成が前記アクチュエータ（４）の移動方向に直角の方向に鏡面対称であることを特徴としている。
本発明のうち請求項７に係るセフティロック装置は、請求項１乃至６のうちいずれか一項に記載の発明において、前記施錠装置（２）がハウジング（８）を有し、該ハウジング（８）は前記ハウジング（８）の縦方向中心面の中央でねじを締め付けるための収容開口部（９）を有することを特徴としている。
【００１０】
本発明のうち請求項８に係るセフティロック装置は、請求項７に記載の発明において、前記収容開口部（９）が前記アクチュエータ（４）の移動方向にスロットとして設計されていることを特徴としている。
本発明のうち請求項９に係るセフティロック装置は、請求項１乃至８のうちいずれか一項に記載の発明において、前記作動装置（１）がハウジング（３）を有し、該ハウジング（３）は、このハウジング（３）が前記施錠装置（２）に対して位置調節できるように適合することができることを特徴としている。
【００１１】
本発明のうち請求項１０に係るセフティロックは、請求項９に記載の発明において、前記ハウジング（３）が滑りブロック（４５）を収容するスロット（４４）を有し、この結果として前記ハウジング（３）が前記滑りブロック（４５）に対して移動可能であることを特徴としている。
本発明のうち請求項１１に係るセフティロック装置は、請求項１乃至１０のうちいずれか一項に記載の発明において、前記施錠装置（２）がハウジング（８）を有し、該ハウジング（８）は少なくとも１つの側にスロット（１１）を有し、該スロット（１１）は前記アクチュエータ（４）の導入を目的とするのものであると共に、前記スロット（１１）の高さは前記アクチュエータ（４）の高さよりも著しく大きいことを特徴としている。
【００１２】
本発明のうち請求項１２に係るセフティロックは、請求項１１記載の発明において、前記施錠装置（２）が鏡面対称に備えられ、さらにスロット（１１）を有するハウジング（８）を備え、該スロット（１１）は対向する側に位置して、前記アクチュエータ（４）の導入を目的とすることを特徴としている。
本発明のうち請求項１３に係るセフティロックは、請求項１乃至１２のうちいずれか一項に記載の発明において、前記施錠装置（２）がインサート（１９）を有し、該インサート（１９）はそのハウジング（８）の中に挿入され、該ハウジング（８）の中にはキャッチ（１６）が旋回可能な方式で取り付けられ、前記ハウジング（８）は前記アクチュエータ（４）用のチャネルを形成することを特徴としている。
【００１３】
本発明のうち請求項１４に係るセフティロック装置は、請求項１乃至１３のうちいずれか一項に記載の発明において、前記アクチュエータ（４）を収容するハウジング（３）がトリガ素子を有し、前記施錠装置（２）はそのハウジング（８）の中に付属の応答素子（３６）を有することを特徴としている。
即ち、本発明の目的は、請求項１の特徴部分にしたがって達成される。
【００１４】
アクチュエータの移動方向に平行に延在する軸の周りに旋回させることができるキャッチが備わっており、キャッチとアクチュエータとの係合表面が移動方向に対して直角に延びているので、アクチュエータまたはアクチュエータを収納するハウジングを非常に大きな許容誤差で施錠装置に対して配置し、閉鎖装置の対応する強化を受け入れることが可能である。したがって、許容誤差は例えば、アクチュエータの幅の５０％以上になることもある。同時に、キャッチを作動させるための機械的設計を簡略化することが可能である。
【発明の効果】
【００１５】
本発明によれば、アクチュエータの移動方向に平行に延在する軸の周りに旋回させることができるキャッチが備わっており、キャッチとアクチュエータとの係合表面が移動方向に対して直角に延びているので、アクチュエータまたはアクチュエータを収納するハウジングを非常に大きな許容誤差で施錠装置に対して配置し、閉鎖装置の対応する強化を受け入れることができる。また、キャッチを作動させるための機械的設計を簡略化することができる。
【発明を実施するための最良の形態】
【００１６】
本発明のさらなる目的、利点、および変更は、下記の説明および特許請求の範囲から理解できる。
以下、本発明を添付の図面に示された例示的な実施形態を参照してさらに詳しく説明する。
図１に示すセフティロック装置は、作動装置１と施錠装置２とを備えている。
作動装置１はハウジング３を含み、ハウジング３は、カバー（切欠された形で示されている）によって閉じることが可能で、例えば滑りドアや旋回ドアなどのドア、またはフラップまたはシャッタなどの、開けることができる閉鎖装置Ａの上に固定されている。ハウジング３の中では、その出発位置の方にばね偏向されたアクチュエータ４が、ガイド５の中で移動可能に案内される。アクチュエータ４は例えばハウジング３の中に取り付けられたハンドル６によって移動可能とされ、ハンドル６は約９０°旋回される。この旋回運動はレバー駆動部またはラックアンドピニオン駆動部７ａ、７ｂを介してアクチュエータ４の直線運動に変換され、この結果、アクチュエータ４はハウジング３に設けられたスロットを通過して出る（このスロットは図１には図示されていない）。
【００１７】
施錠装置２も同様にハウジング８を含み、ハウジング８は、カバー１０によって閉じることが可能で、締付けねじ用の２つ収容開口部９を介して固定部分Ｂの上に固定することができる。固定部分Ｂの上には、例えば特に金属の輪郭などで作られた保護格子、またはドアフレームまたはフラップまたはシャッタフレームなどの、開けることができる閉鎖装置Ａが設けられている。ハウジング８は、締付けエレメントのための、例えばカバー１０を固定するためのねじ用の収容開口部（図示せず）を有する。収容開口部９は、対応する調節ができるようにするために、スロットとしてアクチュエータ４の移動方向に便宜上設計されている。さらにまた、収容開口部９がハウジング８の縦方向中央平面の中心に配置されていること、および少なくとも１つの収容開口部９が操作に対する保護としてカバー１０によって覆われていることは有利である。
【００１８】
ハウジング８は、アクチュエータ４の高さよりかなり大きな、例えば５０％大きな高さと、対照的にアクチュエータ４の幅に対して比較的小さな遊びを有する幅とを持つ側スロット１１を有する。さらに１つの対応するスロットを、施錠装置２を右からと左からの両方に利用することができるように、ハウジング８の反対側壁に、スロット１１に関して鏡面対称方式で設けることもできる。
ハウジング８内の中間壁１２に隣接して、電磁石１５があり、この電磁石１５は電機子ロッド１３を有しかつ例えばハウジング８の中に固定されたホルダ１４に収容されている。電機子ロッド１３はアクチュエータ４の移動方向に直角に延在している。
【００１９】
ハウジング８では、１つまたは複数のスロット１１に隣接して、キャッチ１６が、アクチュエータ４の移動方向に平行に延在する回転軸の周りに旋回可能となっている。図示した例示的実施形態の場合には、回転軸はキャッチ１６の２つの側ジャーナル１７によって形成され、これらの側ジャーナル１７は、ハウジング８の中に挿入された例えばねじ込まれたインサート１９の凹部１８（図３に示す）に収容される。しかしながらこの代りに、ジャーナル１７をハウジング８内の対応する取付け台に取り付けることも可能である。
【００２０】
キャッチ１６は、電磁石１５の方に向いている端部にフォーク２０（図４を参照）を備え、このフォーク２０はアクチュエータ４の方に向いており、一体的に適切であれば電機子ロッド１３に連結されるピンのために、収容開口部２１とともに使用され、この結果、キャッチ１６は、電磁石１５が作動されることによってジャーナル１７によって形成された回転軸の周りに角度レバー方式で旋回可能となる。電機子ロッド１３は、電磁石１５の中へ引き戻される位置にばね２２を介して偏向される。電磁石１５のコイルに電流が流れると、電機子ロッド１３はキャッチ１６の方向に移動し、こうしてキャッチは旋回する。この零入力電流原理の代りに、動作電流原理を使用することも可能であり、この場合、電磁石１５のコイルに電流が流れるとキャッチ１６を施錠された位置に維持し、電磁石１５のコイルに電流が流れない場合には、キャッチ１６はそのばね偏位の下で旋回してその開錠位置へ来る。電機子ロッド１３の直線移動は旋回移動に変換されるので、キャッチ１６の大きな旋回移動のために、電磁石１５の僅かな直線移動のみが必要である。
【００２１】
アクチュエータ４は、キャッチ１６の方に向かう側に１つまたは複数の溝２３を、図示された例示的な実施形態では２つの溝２３を有し、これらの溝２３はクロスピース２４によって互いに分けられている。溝２３とクロスピース２４は、アクチュエータ４の移動方向に直角に延在して、キャッチ１６のための係合表面を形成する。キャッチ１６は突起２５の形をなす対応する係合表面を備えており、これらの突起２５は溝２３に対応し、クロスピース２４に対応する溝２６によって互いに分けられている。
【００２２】
施錠装置２の中にアクチュエータ４が押し込まれると、電機子ロッド１３に作用するばね２２の偏向の下でキャッチ１６がフォームフィット方式で落とされ、アクチュエータ４を施錠位置に維持することが可能である。次にキャッチ１６は電磁石１５のコイルに電流が流れることによって解除される。
アクチュエータ４が、キャッチ１６の方に向いた斜面２７を有することは好都合であり、この斜面２７によってキャッチ１６を、キャッチがアクチュエータ４の溝２３の中に落ちる前に、キャッチに作用するばね力に対抗して強制的に戻すことができる。
【００２３】
溝２３が、クロスピース２４から離れる方に向いた側部に向かって傾斜しているのは好都合で、キャッチ１６の突起２５は対応する外形構成をなしている。この結果、アクチュエータ４の斜面２７は対応する突起２５の斜面２８と組み合う。図示した例示的な実施形態の場合には、キャッチ１６とアクチュエータ４は右手による使用と左手による使用の両方に適当である。
【００２４】
突起２５は、溝２３の長さのどこにおいても施錠方式で溝２３と係合するので、可能な限界内における作動装置１の施錠装置２に対する配置は重大ではなく、すなわちこれら２つの装置１，２は、アクチュエータ４を隣接スロット１１に押し込むことができる限り、相互作用が悪影響を受けることなく、高さに関して互いにずれてもよい。
アクチュエータ４とキャッチ１６との係合表面を、図示された実施形態に関して相補的に配置することも可能である。
【００２５】
アクチュエータ４は、キャッチ１６から離れる方向に向いている側に、側方に傾斜するラッチ溝２９（図５を参照）を有しており、このラッチ溝２９は溝２３と平行に延び、クロスピース２４に対して中央に配置されている。ハウジング８の中にばね偏向ラッチ素子３０（例えば球または丸い円筒）が設けられ、これはアクチュエータ４が適切な位置にあるときにラッチ溝２９の中にはまる。このラッチングは、一方ではアクチュエータ４の位置付け援用として、他方ではキャッチ１６を、これをアクチュエータ４の移動方向に駆り立てる力から免除させるために作用する。アクチュエータ４は便宜上、その自由端に、ラッチ素子３０をそのばね偏向に対向して転置させるための斜面を備えている。
【００２６】
アクチュエータ４は、キャッチ１６から離れる方向に向いている側に、トリガ素子３１を収容するための凹部を有しており、このトリガ素子３１は対応する応答素子３２と相互作用する。トリガ素子３１を共振回路または電子タグ（トランスポンダ）にし、応答素子３２を評価回路または電子タグに適当である励起評価回路を有するコイルにすることも可能であるが、トリガ素子３１を例えば磁石にし、応答素子３２をリードスイッチにすることは可能である。こうして、アクチュエータ４が施錠装置２のハウジング８の中に導入されたか否かの検査が行われ、対応する電気信号が発生する。
【００２７】
応答素子３２は、トリガ素子３１を確実に遮断する能力が常にあるように十分な大きさに選択されるべきである。
施錠装置２を右手用と左手用の作動装置１の両方に使用可能にしようとする場合には、２つの応答素子３２が設けられる。
さらに、対応するセンサ装置３３によってキャッチ１６の位置を監視することが望ましい。図示した例示的な実施形態では、センサ装置３３は、図示のように少なくとも１つのフォーク形式の光バリア３４、またはハウジング８の中に互いに平行に固定された２つのフォーク形式の光バリア３４を備えたフォーク形式の光バリア構造によって形成され、センサ装置３３に回転式に連結された電機子ロッド１３はパドル３５を支持し、このパドル３５は、フォーク形式の光バリア３４の対応する開口部の中で電機子ロッド１３を経由して動き、各フォーク形式の光バリア３４のための光通路開口部を有する。キャッチ１６がアクチュエータ４の中に落ちたときだけ、光が光通路開口部を通って放たれ、対応する信号が発信される。
【００２８】
閉位置における作動装置１、およびしたがって閉鎖装置の存在を監視する目的で、作動装置１のハウジング３の上にトリガ素子（見えない）を設け、また施錠装置２のハウジング８の中には十分に大きな応答素子３６を設けることも可能である（応答素子は右側と左側とに設けることが好ましい）。これらは、素子３１、３２のように設計することもできる。これは追加の保護手段を提供し、閉鎖装置がまだ開いているか閉じているかを識別する。
【００２９】
インサート１９は、アクチュエータ４を導入するためのスロット１１の形状に対応する断面を有するチャネルを形成し、開かれた後側を有し、この結果ラッチ要素３０はアクチュエータ４と係合することができ、反対側ではキャッチ１６用の凹部１９ａと係合することができ、この凹部は２つの側壁１９ｂによって、またベース側では電機子ロッド１３の貫通通路のための開口部１９ｃによって境界付けられている。
ハウジング８のカバー１０を印刷回路として設計し、応答素子３２、フォーク形式の光バリア３４、ベース開口部３８を通じて送られる電気ケーブルの端子３７などを支えるように設計することも可能である。
【００３０】
ハウジング８は便宜上、底部において後方に向いて傾斜が付けられ、この場合、この傾斜部によって境界付けられたハウジング部分は、一方では中間壁３９によってハウジング内部の残り部分から分離され、他方では、側面図では三角形である追加カバー４０によって閉じることができ、この結果、閉じられたハウジング８は全体的に立方形である。カバー４０によって覆われた傾斜空間では、端子を例えば端子ストリップの様式で配置することが可能であり、ハウジング８に傾斜が付けられているためにこれらの端子に容易にアクセスすることができ、この結果、フィーダケーブル（図示せず）の芯線を容易に接続することができる。
【００３１】
キャッチ１６は三角形のノーズ４１を支持することもでき、このノーズ４１を用いて機械的開錠をカバー１０の除去に続けて行うことができ、例えばこの場合、ツールが相応に取り付けられているか、またはそのほかノーズに作用ししたがってキャッチ１６に作用し湾曲方式で広がりハウジング８内に回転可能に取り付けられた施錠素子４２が、例えば多角形開口部４３の中に差し込まれたツールによって相応に回転される。次にアクチュエータ４はばね偏向によってハウジング３の中へ後退移動する。インサート１９における凹部１９ａは、図３からわかるようにノーズ４１のためのスロット内で開いている。
【００３２】
部分Ａ、Ｂ、例えばドア開口部の間でさまざまな開口部の架橋を可能にするために、ハウジング３が、ねじ４６によって部分Ａに固定することができる滑りブロック４５を収容する水平スロット４４を有するならば都合が良い。ハウジング３を、部分Ａの上に保持された滑りブロック４５に対して移動させることによって、ハウジング３を望みの調節位置に移動させることができ、その後ねじ４６は締め付けられる。
【図面の簡単な説明】
【００３３】
【図１】セフティロックの一実施形態の前面部分切欠図である。
【図２】図１に示すセフティロック装置の施錠装置のハウジングを示す斜視図である。
【図３】図１に示すセフティロック装置のインサートを示す斜視図である。
【図４】図１に示すセフティロック装置のキャッチを示す斜視図である。
【図５】図１に示すセフティロック装置のアクチュエータを示す斜視図である。
【図６】図１に示すセフティロック装置の施錠装置の詳細を示す斜視図である。
【符号の説明】
【００３４】
１  作動装置
２  施錠装置
３、８  ハウジング
４  アクチュエータ
５  ガイド
６  ハンドル
７ａ、７ｂ  ラックアンドピニオン駆動部
９、１９ｃ、２１  開口部
１０、４０  カバー
１１  スロット
１２、３９  中間壁
１３  電機子ロッド
１４  ホルダ
１５  電磁石
１６  キャッチ
１７  ジャーナル
１８、１９ａ  凹部
１９  インサート
１９ｂ  側壁
２０  フォーク
２２  ばね
２３、２６  溝
２４  クロスピース
２５  突起
２７、２８  斜面
２９  ラッチ溝
３０  ラッチ素子
３１  トリガ素子
３２  応答素子
３３  センサ装置
３４  光バリア
３５  パドル
３７  電気ケーブルの端子
３８  ベース開口部
４１  三角形のノーズ
４２  施錠素子
４３  多角形開口部
４４  水平スロット
４５  滑りブロック
４６  ねじ
【図１】
2004245039.tif 000003
【図２】
2004245039.tif 000004
【図３】
2004245039.tif 000005
【図４】
2004245039.tif 000006
【図５】
2004245039.tif 000007
【図６】
2004245039.tif 000008